(57)【要約】      （修正有）【課題】スクリーンの有効に利用される部分を増大させることによって、スクリーンをできるだけ有効に使用できる分離装置を提供する。【解決手段】分離装置１０は、外側領域Ｓ２から区画される内側領域Ｓ１を形成する中空状の区画体１２であって、固体物を通過させずに外側領域Ｓ２の被処理水を通過させるスクリーン２３を有する区画体１２と、内側領域Ｓ１に位置する部位を有し且つ第１エンドプレート１７に形成された貫通孔を貫通するように配置された管部材１４と、を備える。管部材１４における内側領域Ｓ１に位置する部位は、貫通孔を貫通する部位よりも上方に突出した突出部４２を有する。突出部４２には、内側領域Ｓ１内の被処理水を管部材１４内に取り入れる取水口４２ａが形成されている。【選択図】図２
0003213447.tif 000002
【実用新案登録請求の範囲】
【請求項１】
処理槽内において、分離対象の固体物を被処理水から分離する分離装置であって、
前記処理槽内において被処理水の溜まった領域である外側領域から区画される内側領域を形成する中空状の区画体であって、前記固体物を通過させずに前記外側領域の前記被処理水を通過させるスクリーンを有する区画体と、
前記内側領域に位置する部位を有し且つ前記区画体の一側壁に形成された貫通孔を貫通するように配置された管部材と、を備え、
前記管部材における前記内側領域に位置する部位は、前記内側領域内の被処理水を前記管部材内に取り入れる取水口を有し、
前記管部材は、前記取水口が前記貫通孔の上端よりも上方に位置する形状に形成されている、分離装置。
【請求項２】
処理槽内において、分離対象の固体物を被処理水から分離する分離装置であって、
前記処理槽内において被処理水の溜まった領域である外側領域から区画される内側領域を形成する中空状の区画体であって、前記固体物を通過させずに前記外側領域の前記被処理水を通過させるスクリーンを有する区画体と、
前記内側領域に位置する部位を有し且つ前記区画体の一側壁に形成された貫通孔を貫通するように配置された管部材と、を備え、
前記管部材における前記内側領域に位置する部位は、前記貫通孔を貫通する部位よりも上方に突出した突出部を有し、
前記突出部には、前記内側領域内の被処理水を前記管部材内に取り入れる取水口が形成されている、分離装置。
【請求項３】
前記管部材は、前記貫通孔を貫通する直管状の管部と、前記管部に結合された結合管部とを有し、
前記突出部は、前記結合管部に形成され、又は前記結合管部によって構成されている、請求項２に記載の分離装置。
【請求項４】
前記区画体は、前記区画体の前記一側壁を構成する第１エンドプレートと、前記第１エンドプレートから離れた位置に配置される第２エンドプレートと、前記第１エンドプレート及び第２エンドプレートを接続する円筒状の円筒部と、を有し、
前記スクリーンは、前記円筒部に設けられている、請求項１から３の何れか１項に記載の分離装置。
【請求項５】
前記第２エンドプレートにおける前記第１エンドプレート側の面には、前記管部材を受け入れる受け部が設けられている、請求項４に記載の分離装置。
【請求項６】
前記第１エンドプレートが前記管部材に対して軸方向にずれないようにするための位置決め部が設けられている、請求項５に記載の分離装置。
【請求項７】
前記円筒部は、前記第１エンドプレート及び前記第２エンドプレートに対して着脱可能である、請求項４から６の何れか１項に記載の分離装置。
【請求項８】
前記第２エンドプレートは、前記管部材に対して着脱可能である、請求項７に記載の分離装置。
【請求項９】
前記区画体は、前記管部材を軸として回動可能に前記管部材に保持されている、請求項１から８の何れか１項に記載の分離装置。
【請求項１０】
前記区画体には、前記区画体を回動させる際に利用するワイヤーを引っ掛けるための掛け口が設けられている、請求項７に記載の分離装置。
【考案の詳細な説明】
【技術分野】
【０００１】
本考案は、汚水処理槽で用いられる分離装置に関するものである。
【背景技術】
【０００２】
従来、微生物を固定化した担体を用いて汚水の処理を行う汚水処理槽が知られており、この種の汚水処理槽では、例えば、下記特許文献１〜３に開示されているように、汚水を担体から分離する円筒状スクリーンを有する分離装置が用いられる。特許文献１に開示された分離装置は、図１０に示すように、汚水処理槽８１の側壁８２に形成された流出口８２ａに繋がる流出室８４に取り付けられた直管状の主管８６を備えている。主管８６には、回転ドラム８８が回転自在に装着されている。回転ドラム８８は、一対の端板８８ａと、両端板８８ａ間を接続する筒状のスクリーン８８ｂとを備えている。主管８６は両端板８８ａの中心部分を貫通している。スクリーン８８ｂは、周方向に延びるウェッジワイヤーが軸方向に間隔をおいて並べられた構成であり、スクリーン８８ｂによって被処理水から固形分が分離される。回転ドラム８８によって、汚水処理槽８１内の空間が区画され、回転ドラム８８内の空間は、スクリーン８８ｂを通過して固形分から分離された被処理水が溜まる領域となっている。主管８６には、取水口８６ａが形成されていて、回転ドラム８８内に溜まった処理水は、この取水口８６ａを通して流出室８４に流れる。
【先行技術文献】
【特許文献】
【０００３】
【特許文献１】実開昭５５―５８２１３号公報
【特許文献２】特開平８−３１８２８９号公報
【特許文献３】特開２０１４−１２４５３８号公報
【考案の概要】
【考案が解決しようとする課題】
【０００４】
特許文献１の分離装置では、回転ドラム８８内の処理水が主管８６の取水口８６ａを通して流出室８４に導かれ、流出室８４内の処理水が流出口８２ａを通して排出される構成のため、汚水処理槽８１内の被処理水の水面が安定した状態では、水面は流出口８２ａの高さで落ち着く。一方、分離装置としては、流出室８４を有しないで主管８６が直接流出口８２ａに取り付けられるものもあり、そのような構成の場合、水面は取水口８６ａの高さで落ち着く。すなわち、流出室８４を有しない構成の場合、水面が安定した状態で処理が続けられるときには、取水口８６ａよりも水面が高くなろうとすると、その分だけ取水口８６ａから被処理水が主管８６内に流れ込む。このため、回転ドラム８８の周面に設けられたスクリーン８８ｂのうち、被処理水に浸漬される部位は、取水口８６ａの高さ位置によって決まる。このため、スクリーン８８ｂには、実際には被処理水が通過しない部分も存在しているため、スクリーン８８ｂを有効に利用しているとは言えない。
【０００５】
そこで、本考案は、前記従来技術を鑑みてなされたものであり、その目的とするところは、スクリーンのうち有効に利用される部分を増大させることによって、スクリーンをできるだけ有効に使用できるようにすることにある。
【課題を解決するための手段】
【０００６】
前記の目的を達成するため、本考案は、処理槽内において、分離対象の固体物を被処理水から分離する分離装置であって、前記処理槽内において被処理水の溜まった領域である外側領域から区画される内側領域を形成する中空状の区画体であって、前記固体物を通過させずに前記外側領域の前記被処理水を通過させるスクリーンを有する区画体と、前記内側領域に位置する部位を有し且つ前記区画体の一側壁に形成された貫通孔を貫通するように配置された管部材と、を備える。前記管部材における前記内側領域に位置する部位は、前記内側領域内の被処理水を前記管部材内に取り入れる取水口を有する。前記管部材は、前記取水口が前記貫通孔の上端よりも上方に位置する形状に形成されている。
【０００７】
本考案では、管部材の取水口は、管部材を貫通させる区画体の貫通孔の上端よりも上方に位置しているため、分離装置が、処理槽内において被処理水を通過させる処理を行うときには、処理槽内の水面は、貫通孔の上端よりも上方の高さで落ち着くこととなる。このため、取水口が形成された直管状の主管が回転ドラムの端板の中心部分を貫通する従来の形態に比べ、処理槽内の水面高さを高い位置で落ち着かせることができる。したがって、区画体において浸水された部分の面積を増加させることができるため、スクリーンを有効に利用できる部分を従来よりも増大させることができる。このため、区画体自体の大きさを大きくすることなく、集水量を高めることができる。
【０００８】
また本考案は、処理槽内において、分離対象の固体物を被処理水から分離する分離装置であって、前記処理槽内において被処理水の溜まった領域である外側領域から区画される内側領域を形成する中空状の区画体であって、前記固体物を通過させずに前記外側領域の前記被処理水を通過させるスクリーンを有する区画体と、前記内側領域に位置する部位を有し且つ前記区画体の一側壁に形成された貫通孔を貫通するように配置された管部材と、を備える。前記管部材における前記内側領域に位置する部位は、前記貫通孔を貫通する部位よりも上方に突出した突出部を有する。前記突出部には、前記内側領域内の被処理水を前記管部材内に取り入れる取水口が形成されている。
【０００９】
本考案では、管部材の取水口は、区画体の側壁を貫通する部位よりも上方に突出した突出部に形成されているため、分離装置が、処理槽内において被処理水を通過させる処理を行うときには、処理槽内の水面は、貫通孔の上端よりも上方の高さで落ち着くこととなる。このため、取水口が形成された直管状の主管が回転ドラムの端板の中心部分を貫通する従来の形態に比べ、処理槽内の水面高さを高い位置で落ち着かせることができる。したがって、区画体において浸水された部分の面積を増加させることができるため、スクリーンを有効に利用できる部分を従来よりも増大させることができる。このため、区画体自体の大きさを大きくすることなく、集水量を高めることができる。
【００１０】
前記管部材は、前記貫通孔を貫通する直管状の管部と、前記管部に結合された結合管部とを有してもよい。この場合、前記突出部は、前記結合管部に形成され、又は前記結合管部によって構成されていてもよい。
【００１１】
この態様では、管部材の作成に要するコストを軽減することができる。すなわち、一体ものの管部材の一部分が上方に突出する構成であれば、当該管部材の作成費用又は加工費用が高くなってしまう。これに対し、突出部を有する結合管部或いは突出部を構成する結合管部が管部に結合された構成であれば、複雑な構成の部材を回避でき、或いは部材の複雑な加工が不要になるため、作成コストを低減することができる。
【００１２】
前記区画体は、前記区画体の前記一側壁を構成する第１エンドプレートと、前記第１エンドプレートから離れた位置に配置される第２エンドプレートと、前記第１エンドプレート及び第２エンドプレートを接続する円筒状の円筒部と、を有してもよい。この場合、前記スクリーンは、前記円筒部に設けられていてもよい。
【００１３】
この態様では、両エンドプレートによって円筒部が支持された構成となる。また、スクリーンが円筒部に形成されているため、既存のスクリーンを用いて円筒部を作成することができる。したがって、分離装置を作成するためのコストが高くなることを抑制することができる。
【００１４】
前記第２エンドプレートにおける前記第１エンドプレート側の面には、前記管部材を受け入れる受け部が設けられていてもよい。
【００１５】
この態様では、第１エンドプレートが管部材によって支持されるだけでなく、第２エンドプレートも管部材によって支持される構成となる。また、受け部が第２エンドプレートにおける第１エンドプレート側の面に形成されているため、受け部は第２エンドプレートを貫通しない。このため、管部材が第２エンドプレートを貫通する構成の場合のように、第２エンドプレートと管部材との間を液密状に工夫する必要がなくなる。したがって、簡素な構成で第２エンドプレートを支持する構成にすることができる。
【００１６】
前記第１エンドプレートが前記管部材に対して軸方向にずれないようにするための位置決め部が設けられていてもよい。
【００１７】
この態様では、軸方向において管部材に対する第１エンドプレートの位置ずれが生じないため、管部材が第２エンドプレートの受け部から確実に外れないようにすることができる。
【００１８】
前記円筒部は、前記第１エンドプレート及び前記第２エンドプレートに対して着脱可能であってもよい。
【００１９】
この態様では、スクリーンの洗浄を行う際に、円筒部を第１及び第２エンドプレートから取り外すことができる。このため、スクリーンの洗浄作業の負担を軽減することができる。なお、第１及び第２エンドプレートは、管部材から取り外すことができてもよく、或いは、管部材から取り外せないように固定されていてもよい。
【００２０】
前記第２エンドプレートは、前記管部材に対して着脱可能であってもよい。
【００２１】
この態様では、第２エンドプレートを管部材から取り外すことができる。このため、円筒部を第１エンドプレートから取り外すときに、第２エンドプレートを予め管部材から取り外しておけば、円筒部を取り外す作業の負担を軽減することができる。
【００２２】
前記区画体は、前記管部材を軸として回動可能に前記管部材に保持されていてもよい。
【００２３】
この態様では、区画体を管部材回りに回動させることにより、被処理水に水没した部分を被処理水の水面から露出させることができる。このため、スクリーンの状態確認を行う作業の負担を軽減することができる。
【００２４】
前記区画体には、前記区画体を回動させる際に利用するワイヤーを引っ掛けるための掛け口が設けられていてもよい。
【００２５】
この態様では、掛け口に引っ掛けられたワイヤーを利用して区画体を回動させることができる。
【考案の効果】
【００２６】
以上説明したように、本考案によれば、スクリーンのうち有効に利用される部分の面積が増大するため、スクリーンをできるだけ有効に使用することができる。
【図面の簡単な説明】
【００２７】
【図１】本考案の実施形態に係る分離装置の斜視図である。
【図２】図１のＩＩ−ＩＩ線における断面図である。
【図３】前記分離装置を分解した状態で示す斜視図である。
【図４】図３のＩＶ−ＩＶ線における断面図である。
【図５】本考案のその他の実施形態に係る分離装置の図２相当図である。
【図６】本考案のその他の実施形態に係る分離装置の図２相当図である。
【図７】本考案のその他の実施形態に係る分離装置の図２相当図である。
【図８】本考案のその他の実施形態に係る分離装置の図２相当図である。
【図９】本考案のその他の実施形態に係る分離装置の図２相当図である。
【図１０】従来の分離装置の構成を示す図である。
【考案を実施するための形態】
【００２８】
以下、本考案を実施するための形態について図面を参照しながら詳細に説明する。
【００２９】
本実施形態に係る分離装置は、被処理水が導入される処理槽内に設置されて使用されるものであり、微生物が固定化された担体からなる固体物を被処理水から分離するために用いられる。
【００３０】
図１〜図４に示すように、分離装置１０は、中空状に構成された区画体１２と、区画体１２の内側領域Ｓ１とその外側の領域（外側領域Ｓ２）とに亘って配置された管部材１４と、を備えている。区画体１２は、処理槽内において被処理水の溜まった領域である外側領域Ｓ２から内側領域Ｓ１を区画するものである。区画体１２は、管部材１４を軸として回動可能に管部材１４に保持されている。
【００３１】
区画体１２は、第１エンドプレート１７と、第１エンドプレート１７から離れた位置に配置される第２エンドプレート１８と、第１エンドプレート１７及び第２エンドプレート１８間に配置された円筒状の円筒部１９と、を備えている。そして、区画体１２は、軸方向の両端が塞がれた円筒状に形成されている。
【００３２】
第１エンドプレート１７は、平板円板状に形成されている。第１エンドプレート１７は、例えばステンレス製とすることができるが、これに限られるものでなく、その他の金属製でもよく、あるいは樹脂製であってもよい。
【００３３】
第１エンドプレート１７の中央部には、その厚み方向に貫通する貫通孔１７ａが形成されている。管部材１４が貫通孔１７ａを貫通しており、第１エンドプレート１７は、この状態で管部材１４に支持された状態となっている。第１エンドプレート１７は、区画体１２における軸方向の一方の側壁（一側壁）を構成している。貫通孔１７ａは、後述する管部材１４の基側管部３１の外径に対応した内径を有する。
【００３４】
第２エンドプレート１８は、第１エンドプレート１７と同じ形状の平板円板状に形成されている。第２エンドプレート１８は、例えばステンレス製とすることができるが、これに限られるものでなく、その他の金属製でもよく、あるいは樹脂製であってもよい。第２エンドプレート１８は、区画体１２における軸方向のもう一方の側壁を構成している。
【００３５】
第２エンドプレート１８の一方の面には、管部材１４の後述する基側管部３１の先端を受け入れる受け部２１が設けられている。第２エンドプレート１８は、受け部２１が設けられた面が第１エンドプレート１７側を向くように配置されている。受け部２１は、矩形状に形成され第２エンドプレート１８に平行な底面部２１ａと、底面部２１ａの外周と第２エンドプレート１８とを接続する外周部２１ｂと、を備えている。外周部２１ｂは例えば第２エンドプレート１８に溶接によって固着されている。このため、第２エンドプレート１８には貫通孔が形成されていない。
【００３６】
受け部２１には、第２エンドプレート１８の中央部に対応する位置に、開口部２１ｃが形成されている。この開口部２１ｃに管部材１４の先端が差し込まれることにより、第２エンドプレート１８は、管部材１４によって支持された状態となる。ただし、第２エンドプレート１８は、管部材１４から取り外すことができる。言い換えると、第２エンドプレート１８は、管部材１４に対して着脱可能である。このため、開口部２１ｃの内周面と管部材１４（基側管部３１）との間には、僅かながら隙間があってもよい。したがって、第２エンドプレート１８と受け部２１との間に被処理水が浸入することがあってもよい。なお、管部材１４は開口部２１ｃに圧入されることによって、第２エンドプレート１８が管部材１４から取り外すことができない構成であってもよい。
【００３７】
円筒部１９は、被処理水を通過させる一方、微生物が固定化された担体からなる固体物が通過できない隙間が形成されたスクリーン２３によって構成されている。すなわち、円筒部１９の周面の全体がスクリーン２３となっている。このため、処理槽内の被処理水は、区画体１２の周面を通して区画体１２の内側領域Ｓ１に進入する。円筒部１９は、例えば、ウェッジワイヤーを軸方向に互いに間隔をおいて多数配列し、これらウェッジワイヤーをロッド状の部材で固定した構成であってもよい。ただし、この構成に限られるものではなく、平板リング状の部材を軸方向に互いに間隔をおいて多数配列した構成であってもよい。また、スクリーン２３が円筒部１９の一部分に配置された構成としてもよい。例えば区画体１２が回動しない構成の場合には、スクリーン２３は、円筒部１９の上端部には設けられていなくてもよい。
【００３８】
円筒部１９の両端部にはそれぞれ、フランジ部１９ａ，１９ｂが設けられている。各フランジ部１９ａ，１９ｂには、ボルト２５，２６を挿通させる挿通孔１９ｃ，１９ｄ（図３参照）が周方向に間隔をおいて、それぞれ設けられている。第１エンドプレート１７及び第２エンドプレート１８にもボルト２５，２６の挿通孔１７ｂ，１８ｂ（図３参照）が設けられている。第１エンドプレート１７及び一方のフランジ部１９ａに亘って挿通されたボルト２５にナット２７を螺合することにより、第１エンドプレート１７と円筒部１９とを結合することができる。そして、ナット２７を外すことにより、円筒部１９を第１エンドプレート１７から取り外すことができる。同様に、第２エンドプレート１８及びもう一方のフランジ部１９ｂに亘って挿通されたボルト２６にナット２８を螺合することにより、第２エンドプレート１８と円筒部１９とを結合することができる。そして、ナット２８を外すことにより、円筒部１９を第２エンドプレート１８から取り外すことができる。すなわち、円筒部１９は、第１エンドプレート１７及び第２エンドプレート１８に対して着脱可能である。
【００３９】
管部材１４は、第１エンドプレート１７の貫通孔１７ａを貫通する直管状の管部である基側管部３１と、基側管部３１に結合された結合管部３２と、結合管部３２の先側に結合された直管状の先側管部３３と、を有する。
【００４０】
基側管部３１の外端部には、フランジ部３５が設けられている。このフランジ部３５は、処理槽に設けられている配管３７に管部材１４を固定するために利用される。管部材１４内の被処理水はこの配管３７に流出することになる。管部材１４が配管３７に固定されると、管部材１４の基側管部３１及び先側管部３３は水平方向に延びる配置となる。そして、この状態で、管部材１４は、配管３７に片持ち支持された状態となる。
【００４１】
内側領域Ｓ１内に位置する基側管部３１の内端部は、結合管部３２の一方の端部を構成する後述の第１管部３２ａに固定的に結合されている。具体的に、本実施形態では、基側管部３１の内端部の端面が第１管部３２ａの端面に突き合わされ、基側管部３１は第１管部３２ａに溶接されている。
【００４２】
基側管部３１における外端部と内端部との間の部位には、第１エンドプレート１７が管部材１４に対して軸方向にずれないようにするための位置決め部４０が設けられている。位置決め部４０は、基側管部３１に固定された第１止め部材４０ａと、第１止め部材４０ａと間隔をおいて基側管部３１に固定された第２止め部材４０ｂとを有する。第１止め部材４０ａ及び第２止め部材４０ｂは何れも、基側管部３１を挿通させる貫通孔が形成された平板状に形成されている。そして、第１止め部材４０ａ及び第２止め部材４０ｂは何れも、基側管部３１（管部材１４）に溶接等によって固定されている。なお、第１止め部材４０ａ及び第２止め部材４０ｂは何れも平板状に形成されているがこの構成に限られない。
【００４３】
第１止め部材４０ａと第２止め部材４０ｂとの間の間隔幅は、第１エンドプレート１７の厚みに対応する幅となっている。そして、第１エンドプレート１７は、第１止め部材４０ａと第２止め部材４０ｂとによって液密状に挟まれている。
【００４４】
第１エンドプレート１７を第１止め部材４０ａと第２止め部材４０ｂとの間に挟み込むには、まず、基側管部３１に外端部側の第１止め部材４０ａを固定し、基側管部３１の内端部側から第１エンドプレート１７を装着する。その後、第２止め部材４０ｂを基側管部３１に内端部側から装着し、第２止め部材４０ｂと第１止め部材４０ａとによって第１エンドプレート１７を挟み込む。この状態で第２止め部材４０ｂを基側管部３１に溶接等によって固定する。
【００４５】
結合管部３２は、基側管部３１に結合される管状の第１管部３２ａと、先側管部３３に結合される管状の第２管部３２ｂと、第１管部３２ａ及び第２管部３２ｂ間の中間管部３２ｃと、を有する。中間管部３２ｃは、基側管部３１よりも上方に突出した部位（突出部４２）を有する。すなわち、第１管部３２ａと第２管部３２ｂとは、一方向に真っ直ぐに延びる直管状に配置されていて、突出部４２は、この第１管部３２ａ及び第２管部３２ｂに対して上方に突出している。突出部４２は、環状に形成されていて、上端の開口は、区画体１２の内側領域Ｓ１内の被処理水を管部材１４内に取り入れる取水口４２ａとして機能する。結合管部３２は、例えば、３つの配管を接続するために用いられる管継ぎ手によって構成されていてもよい。この場合、汎用の管継ぎ手を利用できるため、管部材１４の作成に要するコストが高くならないようにすることができる。
【００４６】
先側管部３３は、第２管部３２ｂに固定的に結合されている。具体的に、本実施形態では、先側管部３３の端面が第２管部３２ｂの端面に突き合わされ、先側管部３３は第２管部３２ｂに溶接されている。先側管部３３は、一端部が閉じた有底筒状に形成されている。なお、先側管部３３は、有底筒状に限られず、中実状の部材によって構成されていてもよい。すなわち、管部材１４の第２エンドプレート１８側の端部は塞がれている。先側管部３３は、第２エンドプレート１８の受け部２１に挿入されている。
【００４７】
第１エンドプレート１７及び第２エンドプレート１８にはそれぞれ、ワイヤー（図示省略）を引っ掛けるための掛け口４５が設けられている。掛け口４５には、ワイヤーを挿通できる挿通孔が形成されていて、この挿通孔に挿通されたワイヤーを引っ張ることによって、区画体１２を回転させることができる。掛け口４５は、本実施形態では各エンドプレート１７，１８に３つずつ周方向に等間隔に設けられている。このため、掛け口４５に引っ掛けられたワイヤーを上方に引っ張ることにより、区画体１２を１２０度程度、管部材１４周りに回動させることができる。また、両エンドプレート１７，１８の掛け口４５間に張設されたワイヤーを、先端が鉤状に形成された図略の引っ掛け具で引っ掛けて区画体１２を回転させてもよい。いずれにしても、区画体１２には、区画体１２を回動させる際に利用するワイヤーを引っ掛けるための掛け口４５が設けられている。なお、掛け口４５は何れか一方のエンドプレート１７，１８にのみ設けられていてもよい。
【００４８】
ここで、分離装置１０の組み立て方法について、図３及び図４を参照しつつ説明する。図３及び図４に示すように、管部材１４には第１エンドプレート１７が固定されている。この状態で管部材１４を円筒部１９に挿入し、管部材１４に取り付けられた第１エンドプレート１７と円筒部１９とをボルト２５及びナット２７によって結合する。このとき、第１エンドプレート１７に形成された挿通孔１７ｂと円筒部１９のフランジ部１９ａに形成された挿通孔１９ｃとの位置を合わせ、これら挿通孔１９ｃ、１７ｂにボルト２５を挿通してナット２７を螺合する。これにより、第１エンドプレート１７に円筒部１９が固定される。
【００４９】
この状態で、管部材１４の先側管部３３が受け部２１の開口部２１ｃに挿入されるように、第２エンドプレート１８を管部材１４に組み付ける。そして、第２エンドプレート１８に形成された挿通孔１８ｂと円筒部１９のフランジ部１９ｂに形成された挿通孔１９ｄとの位置を合わせ、これら挿通孔１９ｄ、１８ｂにボルト２６を挿通してナット２８を螺合する。これにより、円筒部１９に第２エンドプレート１８が固定される。このようにして、分離装置１０が組み立てられる。そして、この分離装置１０の管部材１４の外端部に形成されたフランジ部３５を分離槽の配管３７に接続することにより、分離装置１０が分離槽に固定される。この状態でも区画体１２は管部材１４を軸として回動可能となっている。分離装置１０を分解するときには、組み立て手順と逆の順番でばらせばよい。第２エンドプレート１８及び円筒部１９を管部材１４及び第１エンドプレート１７から取り外すことにより、内部の点検を容易に行うことができ、ゲル状の物質の目詰まり箇所も容易に確認することができる。
【００５０】
分離槽内には、被処理水が溜まっており、分離装置１０の区画体１２の大部分が被処理水中に水没する一方、区画体１２の上部の一部のみが水面上に露出している。分離槽内に溜まった被処理水は、円筒部１９を構成するスクリーン２３を通して区画体１２の内側領域Ｓ１に流入する。このとき、微生物が固定化された担体からなる固体物はスクリーン２３を通過できないため、被処理水から固体物が分離される。
【００５１】
内側領域Ｓ１に流入した被処理水は、管部材１４の取水口４２ａから管部材１４内に集水される。この被処理水は、管部材１４の一端側から配管３７に導出される。
【００５２】
以上説明したように、本実施形態では、管部材１４の取水口４２ａは、区画体１２を貫通する部位よりも上方に突出した突出部４２に形成されているため、分離装置１０が、処理槽内において被処理水を通過させる処理を行うときには、処理槽内の水面は、貫通孔１７ａの上端よりも上方の高さで落ち着くこととなる。このため、取水口４２ａが形成された直管状の管が回転ドラムの端板の中心部分を貫通する従来の形態に比べ、処理槽内の水面高さを高い位置で落ち着かせることができる。したがって、区画体１２において浸水された部分の面積を増加させることができるため、スクリーン２３を有効に利用できる部分を従来よりも増大させることができる。このため、区画体１２自体の大きさを大きくすることなく、集水量を高めることができる。
【００５３】
また本実施形態では、管部材１４が直管状の基側管部３１と、この基側管部３１に結合された結合管部３２とを有する構成となっている。このため、管部材１４の作成に要するコストを軽減することができる。すなわち、一体ものの管部材１４の一部分が上方に突出する構成であれば、当該管部材１４の作成費用又は加工費用が高くなってしまう。これに対し、突出部４２を有する結合管部３２が基側管部３１に結合された構成であれば、複雑な構成の部材を回避でき、或いは部材の複雑な加工が不要になるため、作成コストを低減することができる。
【００５４】
また本実施形態では、円筒部１９が両エンドプレート１７，１８によって支持された構成となっている。また、スクリーン２３が円筒部１９に形成されているため、既存のスクリーン２３を用いて円筒部１９を作成することもできる。したがって、分離装置１０を作成するためのコストが高くなることを抑制することができる。
【００５５】
また本実施形態では、管部材１４の先端が第２エンドプレート１８の受け部２１に挿入されている。このため、第１エンドプレートが管部材１４によって支持されるだけでなく、第２エンドプレート１８も管部材１４によって支持される構成となる。また、受け部２１が第２エンドプレート１８における第１エンドプレート１７側の面に形成されているため、受け部２１は第２エンドプレート１８を貫通しない。このため、管部材１４が第２エンドプレート１８を貫通する構成の場合のように、第２エンドプレート１８と管部材１４との間を液密状に工夫する必要がなくなる。したがって、簡素な構成で第２エンドプレート１８を支持する構成にすることができる。
【００５６】
また本実施形態では、管部材１４に位置決め部４０が設けられているため、軸方向において管部材１４に対する第１エンドプレート１７の位置ずれが生じない。このため、管部材１４が第２エンドプレート１８の受け部２１から確実に外れないようにすることができる。
【００５７】
また本実施形態では、円筒部１９が第１エンドプレート１７及び第２エンドプレート１８に対して着脱可能である。このため、スクリーン２３の洗浄を行う際に、円筒部１９を両エンドプレート１７，１８から取り外すことができる。このため、スクリーン２３の洗浄作業の負担を軽減することができる。なお、第１及び第２エンドプレート１７，１８は、管部材１４から取り外すことができてもよく、或いは、管部材１４から取り外せないように固定されていてもよい。
【００５８】
また本実施形態では、第２エンドプレート１８を管部材１４から取り外すことができる。このため、円筒部１９を第１エンドプレート１７から取り外すときに、第２エンドプレート１８を予め管部材１４から取り外しておけば、円筒部１９を取り外す作業の負担を軽減することができる。
【００５９】
また本実施形態では、区画体１２が管部材１４を軸として回動可能に管部材１４に保持されている。このため、区画体１２を管部材１４回りに回動させることにより、被処理水に水没した部分を被処理水の水面から露出させることができる。このため、スクリーン２３の状態確認を行う作業の負担を軽減することができる。
【００６０】
また本実施形態では、区画体１２に掛け口４５が設けられているため、掛け口４５に引っ掛けられたワイヤーを利用して区画体１２を回動させることができる。
【００６１】
なお、本考案は、前記実施形態に限られるものではなく、その趣旨を逸脱しない範囲で種々変更、改良等が可能である。例えば、管部材１４が第２エンドプレート１８を貫通しない構成としたが、これに限られず、管部材１４が第２エンドプレート１８も貫通する構成としてもよい。この場合、管部材１４の先側管部３３も管状の部材で構成され、この先側管部３３からも被処理水を流出させる構成としてもよい。
【００６２】
前記実施形態では、結合管部３２に先側管部３３が接続されて、先側管部３３が受け部２１の開口部２１ｃに挿入される構成としたが、これに限られない。先側管部３３が省略され、結合管部３２の第２管部３２ｂの先端開口が塞がれた上で、第２管部３２ｂが受け部２１の開口部２１ｃに挿入されてもよい。
【００６３】
また前記実施形態では、管部材１４が、互いに別体にされた基側管部３１、結合管部３２及び先側管部３３が溶接されて固定された構成としたが、これに限られない。例えば、管部材１４は、基側管部３１と結合管部３２と先側管部３３とを一体的に有する部材によって構成されていてもよい。
【００６４】
また前記実施形態では、基側管部３１が結合管部３２の第１管部３２ａに突き合わされ、先側管部３３が結合管部３２の第２管部３２ｂに突き合わされた構成としたが、これに限られない。例えば、図５に示すように、基側管部３１が第１管部３２ａの開口に挿入され、例えばねじ締結、圧入等によって結合管部３２に固定された構成であってもよい。この場合、先側管部３３は、第２管部３２ｂの開口に挿入されて第２管部３２ｂに結合された構成としてもよい。この場合の先側管部３３と第２管部３２ｂとの結合は、例えば、ねじ締結、圧入等でもよい。
【００６５】
また前記実施形態では、結合管部３２が、３つの配管を接続するために用いられる管継ぎ手によって構成されているが、これに限られない。例えば、図６に示すように、結合管部３２が、４つの配管を接続するために用いられる管継ぎ手によって構成されていてもよい。この場合、下方に突出する部位が存在するが、その部位の下端開口は塞がれることになる。この場合も、汎用の管継ぎ手を利用できるため、管部材１４の作成に要するコストが高くならないようにすることができる。この構成でも、先側管部３３が省略され、結合管部３２の第２管部３２ｂの先端開口が塞がれた上で、第２管部３２ｂが受け部２１の開口部２１ｃに挿入されてもよい。
【００６６】
また、図７に示すように、結合管部３２が、基側管部３１の外径よりも大径の管状に形成された大径部３２ｅと、大径部３２ｅと基側管部３１とを接続するレジューサ部３２ｆとを有する部材によって構成されていてもよい。この場合、大径部３２ｅにおける上端部に取水口４２ａが形成される。このため、大径部３２ｅが、基側管部３１よりも上方に突出した突出部４２として機能する。図７では、結合管部３２が内側領域Ｓ１内に位置する管部材１４の一部分として構成されているが、結合管部３２は、内側領域Ｓ１内に位置する管部材１４の全体を占めていても良い。この場合、先側管部３３が省略されて結合管部３２が受け部２１の開口部２１ｃに挿入される構成となる。つまり、管部材１４における内側領域Ｓ１に位置する部位の一部が突出部４２として構成されるものに限られない。
【００６７】
また、図８に示すように、管部材１４は、第１エンドプレート１７の貫通孔１７ａを貫通する直管状の管部４８と、この管部４８の中間部位に結合された結合管部３２とを有し、突出部４２は、この結合管部３２によって構成されてもよい。管部４８の端部は、受け部２１の開口部２１ｃに挿入されている。結合管部３２は、水平方向に延びる直管状の管部４８の上面に結合されている。結合管部３２の上端開口は取水口４２ａとして機能する。管部４８は一体ものの部材によって構成され、先端が受け部２１の開口部２１ｃに差し込まれている。
【００６８】
また、図９に示すように、管部材１４は、第１エンドプレート１７の貫通孔１７ａを貫通する直管状の管部４８と、この管部４８の先端に結合された結合管部３２とを有し、結合管部３２が曲がり管によって構成されていてもよい。この曲がり管は、上方に曲がっているため、突出部４２として機能する。そして、結合管部３２の端部開口が取水口４２ａとして機能する。管部４８は一体ものの部材によって構成されている。この構成では、第２エンドプレート１８が管部材１４に支持されない構成となる。このため、受け部２１は省略されている。なお、直管状の管部と曲がり管とが一体ものの管材によって構成されていてもよい。
【符号の説明】
【００６９】
１０  分離装置
１２  区画体
１４  管部材
１７  第１エンドプレート
１７ａ  貫通孔
１８  第２エンドプレート
１９  円筒部
２３  スクリーン
３１  基側管部（管部）
３２  結合管部
４０  位置決め部
４２  突出部
４２ａ  取水口
４５  掛け口
４８  管部
【図１】
0003213447.tif 000003
【図２】
0003213447.tif 000004
【図３】
0003213447.tif 000005
【図４】
0003213447.tif 000006
【図５】
0003213447.tif 000007
【図６】
0003213447.tif 000008
【図７】
0003213447.tif 000009
【図８】
0003213447.tif 000010
【図９】
0003213447.tif 000011
【図１０】
0003213447.tif 000012